(57)【要約】      （修正有）【課題】接着剤を使用せずにシステムキッチン、台所の棚、机等の抽出や扉等にとりつけることができる手掛けを提供する。【解決手段】手掛け１は手掛け本体２と、本体の両端にとりつけられる化粧キャップ３を備え、手掛け本体は上部に形成される垂下部２ａと、垂下部の上端から後方に延設される水平部２ｂと、水平部の後端から垂下部の長さよりも長く下方に延設される基部２ｃと、基部の下端から前方に延設される底部２ｄとからなる手掛け空洞部２ｅを形成し、基部の手掛け空洞部側には係合溝を形成し、底部には係合溝又は係合孔２ｇを形成する。化粧キャップには手掛け本体の端面に外接する覆部と、覆部の内周に形成されて手掛け空洞部に当接される当接部３ｂを形成し、当接部には基部の係合溝および底部の係合溝又は係合孔に嵌入係合する係止突起３ｃ、３ｄを形成し、さらに底部を挟持するように当接部の下側に支持部３ｅを形成する。【選択図】図４
0003200886.tif 000002
【実用新案登録請求の範囲】
【請求項１】
手掛けは所定厚みの断面形状を有する型材からなる手掛け本体と、該本体の両端にとりつけられる化粧キャップを備えており、上記手掛け本体は上部に形成される垂下部と、該垂下部の上端から後方に延設される水平部と、該水平部の後端から上記垂下部の長さよりも長く下方に延設される基部と、該基部の下端から前方に延設される底部とからなる手掛け空洞部を形成しており、さらに上記基部には両端の手掛け空洞部側に係合溝を形成し、さらに底部には両端の手掛け空洞部側に係合溝又は係合孔を形成し、上記化粧キャップには手掛け本体の端面に外接する覆部と、該覆部の内周に形成されて手掛け本体の手掛け空洞部に当接される当接部を形成し、かつ該当接部には上記基部の係合溝に嵌入係合する係止突起を形成し、さらに上記底部の係合溝又は係合孔に嵌入係合する係止突起を形成してなり、さらに化粧キャップには底部を挟持するように当接部の下側に支持部を形成していることを特徴とする手掛け。
【考案の詳細な説明】
【技術分野】
【０００１】本考案はシステムキッチン、台所の棚、机等の抽出や扉等にとりつける手掛けに関する。
【背景技術】
【０００２】従来手掛けは公知である。また手掛けの用語に替えて引手、取手、把手等の用語も周知である。
例示すればシステムキッチンにおいて。抽出の前面板の上端部に該前面板と同巾の手掛けがとりつけられており、該手掛けは所定厚みの断面形状を有するアルミ製の型材からなる手掛け本体と、該本体の両端に合成樹脂製の化粧キャップをとりつけている。
【考案の概要】
【考案が解決しようとする課題】
【０００３】上記従来構成の抽出の手掛けは、手掛け本体と化粧キャップが接着剤による固定であるために次のような問題点があった。
その１は接着剤としての材料費がかかること。
その２は接着固定までの時間を要し、また加熱処理設備を必要とするなど、生産効率上の改善が要求されていた。
その３は手掛け本体は所定厚みの断面形状を有する型材であり、その端面に化粧キャップを接着剤を介して接着固定しているために、ややもすれば接着剤が均一に全面塗着されずに接着不十分となること、あるいは接着剤が端部からはみ出して化粧効果を損なうこと。
【課題を解決するための手段】
【０００４】    本考案は上記の問題点を解決している。
本考案の特徴はつぎのとおりである。
「手掛けは所定厚みの断面形状を有する型材からなる手掛け本体と、該本体の両端にとりつけられる化粧キャップを備えており、上記手掛け本体は上部に形成される垂下部と、該垂下部の上端から後方に延設される水平部と、該水平部の後端から上記垂下部の長さよりも長く下方に延設される基部と、該基部の下端から前方に延設される底部とからなる手掛け空洞部を形成しており、さらに上記基部には両端の手掛け空洞部側に係合溝を形成し、さらに底部には両端の手掛け空洞部側に係合溝又は係合孔を形成し、上記化粧キャップには手掛け本体の端面に外接する覆部と、該覆部の内周に形成されて手掛け本体の手掛け空洞部に当接される当接部を形成し、かつ該当接部には上記基部の係合溝に嵌入係合する係止突起を形成し、さらに上記底部の係合溝又は係合孔に嵌入係合する係止突起を形成してなり、さらに化粧キャップには底部を挟持するように当接部の下側に支持部を形成していることを特徴とする手掛け」である。
【考案の効果】
【０００５】本考案の手掛けは手掛け本体と化粧キャップのとりつけ、つまり固定には接着剤を使用しないで、両者は物理的な係合による固定であるので、従来の接着剤使用による問題点が解消される。【０００６】本考案は実施態様の項に置いて説明している構成を有しており、手掛け本体と化粧キャップは強固にとりつけ固定できる。【０００７】手掛け本体の基部の手掛け空洞部側に係合溝を形成し、該溝に化粧キャップの当接部の係止突起を係合しているので、手掛け本体の外表面側に係合孔が存在せず見栄えがよい。
【図面の簡単な説明】
【０００８】
【図１】本考案の一実施例を示す手掛けをとりつけている抽出の要部斜視図。
【図２】本考案手掛け本体の一実施例を示す要部断面図。
【図３】本考案化粧キャップの一実施例を示す説明用斜視図で、Ａ、Ｂは視角を異にしている。
【図４】本考案の手掛け本体に化粧キャップをとりつけている状態を示す要部断面図。
【図５】Ａ、Ｂは図４の要部拡大図。
【考案を実施するための形態】
【０００９】本考案について実施例を図面を用いて説明する。
図１において、１は抽出の前面板４の上部にとりつけられている手掛けである。該手掛けは手掛け本体２の両端に化粧キャップ３がとりつけられている。
手掛け本体２は所定厚みの断面形状を有するアルミ製の型材からなっている。
【００１０】手掛け本体２は上部に形成される垂下部２ａと、該垂下部の上端から後方に延設される水平部２ｂと、該水平部の後端から上記垂下部の長さよりも長く下方に延設される基部２ｃと、該基部の下端から前方に延設される底部２ｄとからなる手掛け空洞部２ｅを形成している。
【００１１】さらに図１では不図示であるが、基部の両端近傍の手掛け空洞部側に係合溝を形成し、さらに底部の両端近傍の手掛け空洞部側に係合溝または係合孔を形成している。
【００１２】化粧キャップ３は手掛け本体の端面に外接する覆部３ａと、該覆部の内周に形成されて手掛け本体の手掛け空洞部側に当接される当接部３ｂを形成している。
【００１３】さらに図１では不図示ではあるが、当接部には上記基部の係合溝に嵌入係合する係止突起を形成しており、さらに底部の係合溝または係合孔に嵌入係合する係止突起を形成している。さらに当接部の下側に支持部を形成して底部を狭持している。
【００１４】図２は手掛け本体の要部断面図を示し、所定厚みの断面形状を有するアルミ製の型材からなっている。
手掛け本体２は上部に形成される垂下部２ａと、該垂下部の上端から後方に延設される水平部２ｂと、該水平部の後端から上記垂下部の長さよりも長く下方に延設される基部２ｃと、該基部の下端から前方に延設される底部２ｄとからなる手掛け空洞部２ｅを形成している。図面では底部２ｄは下方傾斜状に形成しているが、水平状その他の形状でもよい。
２ｆは基部の両端近傍の手掛け空洞部側に形成した四方形の係合溝である。係合溝の形状は他の形状でもよく後述の係止突起が強固に係合できる形状であればよく、たとえば丸型形状でもよい。
２ｇは底部の両端近傍の手掛け空洞部側に形成した四方形の係合溝又は係合孔である。図面では係合孔言わば貫通穴を示している。係合溝または係合孔の形状は丸型形状等でもよい。
２ｈは両端部を外して中央部に形成している嵌着固定突起で、前面板４の上端部の嵌着口（不図示）に嵌着固定している。前面板に手掛けをとりつけるには取付金具、止具を用いる固定でもよい。これら固定手段は公知である。
【００１５】図３は本考案化粧キャップの一実施例を示す斜視図である。Ａ、Ｂは視角を異にしている。化粧キャップは合成樹脂製、ゴム製など公知の材質からなっている。
化粧キャップ３は手掛け本体の端面に外接する覆部３ａと、該覆部の内周に形成されて手掛け本体の手掛け空洞部側に当接される当接部３ｂを形成している。
しかして当接部３ｂには基部の係合溝に嵌入係合する係止突起３ｃを形成しており、さらに底部の係合溝又は係合孔に嵌入係合する係止突起３ｄを形成している。上記の係止突起３ｃ、３ｄは段状の突起に形成しており、段部が溝に係合する。
当接部の下側には支持部３ｅを形成して底部２ｄを挟持している。支持部３ｅは実施例では２個形成している。
【００１６】図４、図５は手掛け本体に化粧キャップをとりつけている状態を示す要部断面図である。
手掛け本体２の基部２ｃの両端近傍の手掛け空洞部２ｅ側に形成している係合溝２ｆに化粧キャップの当接部３ｂに形成している係止突起３ｃが嵌入係合して固定が保持されている。また手掛け本体の底部２ｄの両端近傍の手掛け空洞部側に形成した係合溝又は係合孔２ｇ（図面では係合孔を示す）には化粧キャップの当接部に形成している係止突起３ｄが嵌入係合して固定が保持されている。
【００１７】さらにまた当接部の下側に２個の支持部３ｅ、３ｅを形成して底部２ｄを挟持しており、固定が保持されている。
【００１８】以上本考案の実施例について説明しているが本考案の技術思想を逸脱しない範囲の設計変更は可能である。例示すれば係合溝の形状、係止突起の形状等において、強固に嵌入係止固定できればよい。
【符号の説明】
【００１９】１      手掛け
２      手掛け本体
２ａ    垂下部
２ｂ    水平部
２ｃ    基部
２ｄ    底部
２ｅ    手掛け空洞部
２ｆ    係合溝
２ｇ    係合溝又は係合孔
２ｈ    嵌着固定突起
３      化粧キャップ
３ａ    覆部
３ｂ    当接部
３ｃ    係止突起
３ｄ    係止突起
３ｅ    支持部
４      前面板
【図１】
0003200886.tif 000003
【図２】
0003200886.tif 000004
【図３】
0003200886.tif 000005
【図４】
0003200886.tif 000006
【図５】
0003200886.tif 000007